(57)【要約】【課題】本発明は電子機器用キャビネットに係り、組み立てし易い裏カバー構造を実現することを課題とする。【解決手段】一の裏カバー構成部材１３０は、矩形状を有し、下端の辺１３０ａ側に、下側に突き出た舌状の係止片１３０ｂを有し、且つ、上端の辺１３０ｃ側に、係止片が嵌合する切欠部１３０ｄと、ねじ止め用孔１３０ｅとを有する。ねじ止め用孔１３０ｅは、だるま形状を有し、下端にねじ１３１の頭部１３１ａより少し大きい円形の孔部１３０ｅ−１を有し、且つ、この円形の孔部１３０ｅ−１より上方に延在する長孔部１３０ｅ−２を有する。各裏カバー構成部材１３０は、下端の辺１３０ａ側については、係止片１３０ｂが、固定しようとする裏カバー構成部材１３０の直ぐ下側に既に固定してある裏カバー構成部材の切欠部１３０ｄに嵌合して固定されて、上端の辺１３０ｃ側だけをねじ１３１によってねじ止めされて固定されて、下側から順に取付けられる。【選択図】図６
2006157059.tif 000002
【特許請求の範囲】
【請求項１】
左側板と右側板と裏カバーを有し、電子機器が実装される電子機器用キャビネットにおいて、
該裏カバーが、複数の矩形状の裏カバー構成部材よりなり、
各裏カバー構成部材は、下端の辺側に、突き出た舌状の係止片を有し、上端の辺側に、該係止片が嵌合する切欠部と、ねじ止め用の孔とを有し、
各裏カバー構成部材は、下端の辺側の係止片を、下側に位置する裏カバー構成部材の切欠部と嵌合されて、ねじを上端の辺側のねじ止め用の孔を通してねじ止めして、上端の辺側だけをねじ止めして、縦に並べて固定してある構成としたことを特徴とする電子機器用キャビネット。
【発明の詳細な説明】
【技術分野】
【０００１】
本発明は、電子機器が実装される電子機器用キャビネットに関する。
【０００２】
一般に、通信装置は、電子機器用キャビネット内に複数の電子機器が実装された構成である。現在、通信装置のコストダウンが求められている。
【背景技術】
【０００３】
先ず、電子機器用キャビネット内にねじ止めされて実装される電子機器について説明する。この種の電子機器には、図１５（Ａ）に示す前面取付け電子機器１０と、図１５（Ｂ）に示す裏面取付け電子機器２０と、図１５（Ｃ）に示す前・裏面取付け電子機器３０との三種類がある。
【０００４】
前面取付け電子機器１０は、図１５（Ａ）に示すように、奥行き寸法Ａを有し、裏面側にバックボード（図示せず）を有し、且つ、前面側より左右側に張り出したフランジ１２、１３を有するシェルフ１１と、シェルフ１１内に差し込まれて実装してある複数のプラグインユニット１４とよりなる構成である。
【０００５】
裏面取付け電子機器２０は、図１５（Ｂ）に示すように、フランジ２２及び２３をシェルフ２１の裏面側に有する以外は、図１５（Ａ）に示す前面取付け電子機器１０と同じ構成であり、シェルフ２１、フランジ２２、２３、及び複数のプラグインユニット２４を有する。
【０００６】
前・裏面取付け電子機器３０は、図１５（Ｃ）に示すように、図１５（Ｂ）に示す裏面取付け電子機器２０においてシェルフ１１の奥行き寸法をＡの略半分のＢとした構成であり、シェルフ３１、フランジ３２、３３、及び複数のプラグインユニット３４を有する。
【０００７】
各フランジ１２，１３，２２，２３，３２，３３には、ねじが通る孔１２ａ，１３ａ，２２ａ，２３ａ，３２ａ，３３ａが形成してある。
【０００８】
従来は、前面取付け電子機器１０、裏面取付け電子機器２０、及び前・裏面取付け電子機器３０毎に、専用の電子機器用キャビネットが準備されていた。
【０００９】
図１６（Ａ）は、前面取付け電子機器専用キャビネット４０であり、右側板４１と、左側板４２と、右側板４１の内側面に固定してある取付け用部材４３と、左側板４２の内側面に固定してある取付け用部材４４とを有する。
【００１０】
前面取付け電子機器専用キャビネット４０には、二点鎖線で示すように、前面取付け電子機器１０が、取付けねじ４５により、フランジ１２，１３を取付け用部材４３，４４に固定されて実装される。
【００１１】
図１６（Ｂ）は、裏面取付け電子機器専用キャビネット５０であり、右側板５１と、左側板５２と、右側板５１と左側板５２に固定されて背面側を覆う背面板５３とを有する。
【００１２】
裏面取付け電子機器専用キャビネット５０には、二点鎖線で示すように、裏面取付け電子機器２０が、取付けねじ５５により、フランジ２２，２３を背面板５３の両側の取付け部５３ａに固定されて実装される。
【００１３】
図１６（Ｃ）は、前・裏面取付け電子機器専用キャビネット６０であり、右側板６１と、６側板４２と、右側板６１の内側面に固定してある取付け用部材６３と、左側板６２の内側面に固定してある取付け用部材６４とを有する。
【００１４】
前・裏面取付け電子機器専用キャビネット６０には、二点鎖線で示すように、前側より、前・裏面取付け電子機器３０−１が、取付けねじ６５により、フランジ３２，３３を取付け用部材６３，６４に固定されて実装され、後ろ側より、前・裏面取付け電子機器３０−２が、取付けねじ６６により、フランジ３２，３３を取付け用部材６３，６４に固定されて、背中合わせに実装される。
【発明の開示】
【発明が解決しようとする課題】
【００１５】
従来は、上記のように、前面取付け電子機器１０、裏面取付け電子機器２０、及び前・裏面取付け電子機器３０毎に、専用の電子機器用キャビネット４０、５０、６０を準備しておく必要があるため、各電子機器用キャビネット４０、５０、６０がコスト高となっていた。
【００１６】
そこで、本発明は上記課題を解決した電子機器用キャビネットを提供することを目的とする。
【課題を解決するための手段】
【００１７】
請求項１の発明は、左側板と右側板と裏カバーを有し、電子機器が実装される電子機器用キャビネットにおいて、
該裏カバーが、複数の矩形状の裏カバー構成部材よりなり、
各裏カバー構成部材は、下端の辺側に、突き出た舌状の係止片を有し、上端の辺側に、該係止片が嵌合する切欠部と、ねじ止め用の孔とを有し、
各裏カバー構成部材は、下端の辺側の係止片を、下側に位置する裏カバー構成部材の切欠部と嵌合されて、ねじを上端の辺側のねじ止め用の孔を通してねじ止めして、上端の辺側だけをねじ止めして、縦に並べて固定してある構成としたことを特徴とする。
【発明の効果】
【００１８】
ねじ止めの箇所を、四隅をねじ止めした場合に比べて、ねじ止めの箇所を半分とし得、よって、裏カバー構成部材の取付けを作業性良く行いうる。
【発明を実施するための最良の形態】
【００１９】
次に発明を実施するための最良の形態について説明する。
【実施例】
【００２０】
図１は本発明の一実施例になる電子機器用キャビネット１００を、前扉及び左側の柱を省略して、且つ分解して示す。図２は、図１の電子機器用キャビネット１００を、天板を取り外して示す平面図である。図１及び図２の電子機器用キャビネット１００は、アダプタとしての電子機器取付け用部材が取り付けられる前の状態を示す。
【００２１】
図８及び図９は、図１及び図２の電子機器用キャビネット１００に所定の電子機器取付け用部材２００が取付けられて裏面取付け電子機器用とされた裏面取付け電子機器用キャビネット１００Ａを示す。図１０は、図９の裏面取付け電子機器用キャビネット１００Ａに裏面取付け電子機器２０が実装された監視用の通信装置３００Ａを示す。
【００２２】
図１１は、図１及び図２の電子機器用キャビネット１００に所定の電子機器取付け用部材２０１が取付けられて前面取付け電子機器用とされた前面取付け電子機器用キャビネット１００Ｂを示す。図１２は、図１１の前面取付け電子機器用キャビネット１００Ｂに前面取付け電子機器１０が実装された監視用の通信装置３００Ｂを示す。
【００２３】
図１３は、図１及び図２の電子機器用キャビネット１００に所定の電子機器取付け用部材２０２が取付けられて前・裏面取付け電子機器用とされた前・裏面取付け電子機器用キャビネット１００Ｃを示す。図１４は、図１３の前・裏面取付け電子機器用１００Ｃに前・裏面取付け電子機器３０が背中合わせに実装された監視用の通信装置３００Ｃを示す。
【００２４】
先ず、前面取付け電子機器用、裏面取付け電子機器用、又は、前・裏面取付け電子機器用の何れにも適応可能である電子機器用キャビネット１００について説明する。
【００２５】
図１及び図２に示すように、電子機器用キャビネット１００は、大略、右側板１０１と、左側板１０２と、底板１０３と、天板１０４と、回動して開く前扉１０５と、裏カバー組立体１０６とを有し、箱形状を有し、高さＨ、幅Ｗ、奥行きＳを有し、底板１０３を建物の床面に固定されて設置される。
【００２６】
右側板１０１及び左側板１０２の内側には、電子機器用キャビネット１００の奥行き方向（Ｙ）上、前側の位置Ｐ１と、中央の位置Ｐ２と、後側の位置Ｐ３に、夫々一対の前側柱１１０，１１１、中央柱１１２，１１３、及び後側柱１１４，１１５が、高さ方向に延在して且つ対向してスポット溶接により固定してある。
【００２７】
各柱１１０，１１１、１１２，１１３、１１４，１１５は、上から見てコ字形の本体部１１０ａ，１１１ａ、１１２ａ，１１３ａ、１１４ａ，１１５ａを有し、且つ、本体部１１０ａ等より両側に延びたフランジ部１１０ｂ，１１１ｂ、１１２ｂ，１１３ｂ、１１４ｂ，１１５ｂを有する。
【００２８】
前側柱１１０，１１１には、その本体部１１０ａ，１１１ａに、電子機器取付け用部材２０１をねじ止めするためのねじ孔１１０ｃが所定のピッチで形成してある。
【００２９】
中央柱１１２，１１３には、その本体部１１２ａ，１１３ａに、電子機器取付け用部材２０２をねじ止めするためのねじ孔１１２ｃが所定のピッチで形成してある。
【００３０】
後側柱１１４，１１５には、その本体部１１４ａ，１１５ａに、電子機器取付け用部材２０３をねじ止めするためのねじ孔１１４ｃが所定のピッチで形成してある。
【００３１】
底板１０３は、４辺に袋曲げ部１０３ａを有する構成であり、前側柱１１０，１１１、中央柱１１２，１１３、及び後側柱１１４，１１５の下端が、図３及び図４に示すように、溶接によって固定してある。符号１１８は溶接した部分であり、梨地パターンで示す。袋曲げ部１０３ａのうち中央柱１１２の箇所には、切欠１０３ｂが形成してあり、中央柱１１２の下端側は、切欠１０３ｂと嵌合してあり、嵌合しあった部分も溶接してある。よって、中央柱１１２と底板１０３との接合強度が高めてある。
【００３２】
天板１０４も、底板１０３と同じく、４辺に袋曲げ部を有する構成であり、前側柱１１０，１１１、中央柱１１２，１１３、及び後側柱１１４，１１５の上端が、溶接によって固定してある。
【００３３】
キャビネット１００は、補強のために、底の部分に、キャビネット１００の幅方向に延在する底板側梁部材１２０を有し、且つ、天板の部分に、キャビネット１００の幅方向に延在する天板側梁部材１２１を有する。底板側梁部材１２０及び天板側梁部材１２１は、断面Ｕ字状である。
【００３４】
底板側梁部材１２０の両端は、図３、図４及び図５に示すように、中央柱１１２，１１３の本体部１１２ａ，１１３ａの下端側に突き合わされて、符号１１８で示すように溶接によって固定してある。天板側梁部材１２１の両端も中央柱１１２，１１３の本体部１１２ａ，１１３ａの下端側に突き合わされて、符号１１８で示すように溶接によって固定してある。中央柱１１２，１１３と、底板側梁部材１２０と、天板側梁部材１２１とが、矩形枠状のフレーム１２３を形成している。よって、キャビネット１００は、奥行き方向上の真ん中に矩形枠状のフレーム１２３を有する構成であり、設置された状態で、特に、頂部である天板１０４に幅Ｗ方向に作用する力Ｆに対して強い強度を有し、地震に強い。
【００３５】
裏カバー組立体１０６は、図６及び図７に示すように、裏カバー構成部材１３０を３つ組み合わせた構成である。
【００３６】
図６に示すように、一の裏カバー構成部材１３０は、矩形状を有し、下端の辺１３０ａ側に、一対の下側に突き出た舌状の係止片１３０ｂを有し、且つ、上端の辺１３０ｃ側に、係止片が嵌合する一対の切欠部１３０ｄと、一対のねじ止め用孔１３０ｅとを有する。ねじ止め用孔１３０ｅは、だるま形状を有し、下端にねじ１３１の頭部１３１ａより少し大きい円形の孔部１３０ｅ−１を有し、且つ、この円形の孔部１３０ｅ−１より上方に延在する長孔部１３０ｅ−２を有する。
【００３７】
各裏カバー構成部材１３０は、下側から順に取付けられる。各裏カバー構成部材１３０は、下端の辺１３０ａ側については、一対の係止片１３０ｂが、固定しようとする裏カバー構成部材１３０の直ぐ下側に既に固定してある裏カバー構成部材の切欠部１３０ｄに嵌合して固定されて、上端の辺１３０ｃ側だけをねじ１３１によってねじ止めされて固定されて取付けられる。
【００３８】
各裏カバー構成部材１３０の取付けは以下のように行う。裏カバー構成部材１３０を取り付けるに先立って、ねじ１３１が右側板１０１及び左側板１０２のねじ孔に緩く螺合してある。作業者が、一の裏カバー構成部材１３０を持って、一対の係止片１３０ｂを、固定しようとする裏カバー構成部材１３０の直ぐ下側に既に固定してある裏カバー構成部材の切欠部１３０ｄに合わせ、円形の孔部１３０ｅ−１をねじ１３１の頭部１３１ａに合わせ、図７中、Ａ方向に押して円形の孔部１３０ｅ−１をねじ１３１の頭部１３１ａに嵌合させ、次いで、Ｂ方向に下げて、係止片１３０ｂを切欠部１３０ｄに嵌合させ、長孔部１３０ｅ−２をねじ１３１と嵌合させる。最後に、２本のねじ１３１を締める。よって、４隅をねじ止めする場合に比べて、取付けは簡単である。
【００３９】
なお、裏カバー構成部材１３０の取り外しは、上記の取り付けとは逆の手順で、即ち、ねじ１３１を緩め（外す必要はない）、裏カバー構成部材１３０を一旦引き上げて、次いで、手前に引くことによってなされ、裏カバー構成部材１３０は簡単に取り外される。
【００４０】
次に、上記構成の電子機器用キャビネット１００をベースとして、裏面取付け電子機器用キャビネット１００Ａ、前面取付け電子機器用キャビネット１００Ｂ、又は前・裏面取付け電子機器用キャビネット１００Ｃを構築することについて、及び、監視用の通信装置を構築することについて説明する。
【００４１】
先ず、裏面取付け電子機器用キャビネット１００Ａを作ることについて説明する。
【００４２】
図８は裏面取付け電子機器用キャビネット１００Ａを、裏面取付け電子機器２０と併せて示す。図９は裏面取付け電子機器用キャビネット１００Ａを示す。
【００４３】
裏面取付け電子機器用キャビネット１００Ａは、電子機器用キャビネット１００の一対の後側柱１１４，１１５の本体部１１４ａ，１１５ａに、これに沿って、電子機器取付け用部材２００がねじ２１０によってねじ止めされた構成である。電子機器取付け用部材２００は断面がＬ字状の長い部材であり、裏面取付け電子機器用取付け面部２００ａを有し、且つ、この取付け面部２００ａに所定ピッチでねじ孔２００ｂが形成してある。
【００４４】
裏面取付け電子機器用キャビネット１００Ａは、後側柱１１４，１１５より裏面取付け電子機器用取付け面部２００ａが内側に突き出た構成である。
【００４５】
図１０は裏面取付け電子機器２０が実装された監視用の通信装置３００Ａを示す。通信装置３００Ａは、図９に示す裏面取付け電子機器用キャビネット１００Ａを使用し、このキャビネット１００Ａに前側より裏面取付け電子機器２０を入れ、裏面取付け電子機器２０が、取付けねじ２２０により、フランジ２２，２３を、両側の、電子機器取付け用部材２００の裏面取付け電子機器用取付け面部２００ａに固定されて実装された構成である。
【００４６】
なお、図８中、２３０はケーブルホルダであり、電子機器取付け用部材２００にねじ止めされてあり、裏面取付け電子機器用キャビネット１００Ａの右側面の近傍に配してある。縦に走るケーブルは、ケーブルホルダ２３０によって保持されている。
【００４７】
次に、前面取付け電子機器用キャビネット１００Ｂを作ることについて説明する。
【００４８】
図１１は、前面取付け電子機器用キャビネット１００Ｂを示す。
【００４９】
前面取付け電子機器用キャビネット１００Ｂは、電子機器用キャビネット１００の一対の前側柱１１０，１１１の本体部１１０ａ，１１１ａに、これに沿って、電子機器取付け用部材２０１がねじ２１１によってねじ止めされた構成である。電子機器取付け用部材２０１は断面がＬ字状の長い部材であり、前面取付け電子機器用取付け面部２０１ａを有し、且つ、この取付け面部２０１ａに所定ピッチでねじ孔が形成してある。
【００５０】
前面取付け電子機器用キャビネット１００Ａは、前側柱１１０，１１１より前面取付け電子機器用取付け面部２０１ａが内側に突き出た構成である。
【００５１】
図１２は前面取付け電子機器１０が実装された監視用の通信装置３００Ｂを示す。通信装置３００Ｂは、図１１に示す前面取付け電子機器用キャビネット１００Ｂを使用し、このキャビネット１００Ｂに前側より前面取付け電子機器１０を入れ、前面取付け電子機器１０が、取付けねじ２２１により、フランジ１２，１３を、両側の、電子機器取付け用部材２０１の前面取付け電子機器用取付け面部２０１ａに固定されて実装された構成である。
【００５２】
図１３は、前・裏面取付け電子機器用キャビネット１００Ｃを示す。
【００５３】
前・裏面取付け電子機器用キャビネット１００Ｃは、電子機器用キャビネット１００の一対の中央柱１１２，１１３の本体部１１２ａ，１１３ａに、これに沿って、電子機器取付け用部材２０２がねじ２１２によってねじ止めされた構成である。電子機器取付け用部材２０２は断面がＵ字状の長い部材であり、前・裏面取付け電子機器用取付け面部２０２ａ，２０２ｂを有し、且つ、この取付け面部２０２ａ，２０２ｂに所定ピッチでねじ孔２０２ｃが形成してある。
【００５４】
前・裏面取付け電子機器用キャビネット１００Ｃは、中央柱１１２，１１３より前・裏面取付け電子機器用取付け面部２０２ａ，２０２ｂが内側に突き出た構成である。
【００５５】
図１４は前・裏面取付け電子機器３０が実装された監視用の通信装置３００Ｃを示す。通信装置３００Ｃは、図１３に示す前・裏面取付け電子機器用キャビネット１００Ｃを使用し、このキャビネット１００Ｃに前側より前・裏面取付け電子機器３０−１を入れ、前・裏面取付け電子機器３０−１が、取付けねじ２２２により、フランジ３２，３３を、両側の、電子機器取付け用部材２０２の前面取付け電子機器用取付け面部２０２ａに固定されて実装され、キャビネット１００Ｃに裏側より別の前・裏面取付け電子機器３０−２を入れ、前・裏面取付け電子機器３０−２が、取付けねじ２２３により、フランジ３２，３３を、両側の、電子機器取付け用部材２０２の前面取付け電子機器用取付け面部２０２ｂに固定されて実装され、前・裏面取付け電子機器３０−１と前・裏面取付け電子機器３０−２が背中合わせに実装された構成である。
【図面の簡単な説明】
【００５６】
【図１】本発明の一実施例になる電子機器用キャビネットを、前扉及び左側の柱を省略して、且つ分解して示す図である。
【図２】図１の電子機器用キャビネットを、天板を取り外して示す平面図である。
【図３】前側柱、中央柱及び後側柱底板と底板との接合を示す図である。
【図４】図３の接合部分を分解して示す図である。
【図５】電子機器用キャビネットの枠状のフレームを示す図である。
【図６】電子機器用キャビネットの裏カバー組立体を示す斜視図である。
【図７】電子機器用キャビネットの裏カバー組立体の断面図である。
【図８】裏面取付け電子機器用キャビネットを、裏面取付け電子機器と併せて示す斜視図である。
【図９】図８の裏面取付け電子機器用キャビネットを、天板を取り外して示す平面図である。
【図１０】図９の裏面取付け電子機器用キャビネットに裏面取付け電子機器が実装された監視用の通信装置を示す図である。
【図１１】前面取付け電子機器用キャビネットを、天板を取り外して示す平面図である。
【図１２】図１１の前面取付け電子機器用キャビネットに前面取付け電子機器が実装された監視用の通信装置を示す図である。
【図１３】前・裏面取付け電子機器用キャビネットを、天板を取り外して示す平面図である。
【図１４】図１３の前・裏面取付け電子機器用キャビネットに前・裏面取付け電子機器が実装された監視用の通信装置を示す図である。
【図１５】前面取付け電子機器、裏面取付け電子機器、及び前・裏面取付け電子機器を示す図である。
【図１６】従来の前面取付け電子機器専用キャビネット、裏面取付け電子機器専用キャビネット、及び前・裏面取付け電子機器専用キャビネットを示す図である。
【符号の説明】
【００５７】
１０  前面取付け電子機器
２０  裏面取付け電子機器
３０  前・裏面取付け電子機器
１００  キャビネット
１００Ａ  裏面取付け電子機器用キャビネット
１００Ｂ  前面取付け電子機器用キャビネット
１００Ｃ  前・裏面取付け電子機器用キャビネット
１０１  右側板
１０２  左側板
１０３  底板
１０４  天板
１０５  前扉
１０６  裏カバー組立体
１１０，１１１  前側柱
１１０ａ，１１１ａ  本体部
１１０ｂ，１１１ｂ  フランジ部
１１０ｃ  ねじ孔
１１２，１１３  中央柱
１１２ａ，１１３ａ  本体部
１１２ｂ，１１３ｂ  フランジ部
１１２ｃ  ねじ孔
１１４，１１５  後側柱
１１４ａ，１１５ａ  本体部
１１４ｂ，１１５ｂ  フランジ部
１１４ｃ  ねじ孔
１１８  溶接した部分
１２０  底板側梁部材
１２１  天板側梁部材
１２３  矩形枠状のフレーム
１３０  裏カバー構成部材
１３０ｂ  舌状の係止片
１３０ｅ  だるま形状のねじ止め用孔
２００、２０１、２０２  電子機器取付け用部材
２００ａ，２０１ａ，２０２ａ，２０２ｂ  電子機器用取付け面部
２００ｂ，２０１ｂ，２０２ｃ  ねじ孔
２１０、２１１、２１２  ねじ
２２０、２２１、２２３  取付けねじ
２３０  ケーブルホルダ
３００Ａ，３００Ｂ，３００Ｃ  通信装置
【図１】
2006157059.tif 000003
【図２】
2006157059.tif 000004
【図３】
2006157059.tif 000005
【図４】
2006157059.tif 000006
【図５】
2006157059.tif 000007
【図６】
2006157059.tif 000008
【図７】
2006157059.tif 000009
【図８】
2006157059.tif 000010
【図９】
2006157059.tif 000011
【図１０】
2006157059.tif 000012
【図１１】
2006157059.tif 000013
【図１２】
2006157059.tif 000014
【図１３】
2006157059.tif 000015
【図１４】
2006157059.tif 000016
【図１５】
2006157059.tif 000017
【図１６】
2006157059.tif 000018